(57)【特許請求の範囲】
【請求項１】
複数の波長の光信号が波長多重された波長多重信号をその各波長の光信号に分離し、分離された各波長の光信号を波長毎に出力する光波長分離部と、
前記光波長分離部の出力側に、分離された各波長の光信号の波長に対応する受信波長を割り当てて接続され、当該受信波長の光信号を所定の信号に変換する複数の光信号変換部と、
前記光波長分離部に入力される波長多重信号の各波長の有無を監視する波長監視部と、
前記光波長分離部に入力される波長多重信号に前記光信号変換部の受信波長として未割当の波長が１つ増加すると共に、前記受信波長が未割当の光信号変換部が１つ増加した状況下において、前記波長監視部により監視される波長多重信号の各波長の信号有無状態と、前記複数の光信号変換部による光信号の受信有無状態とに基づいて、前記波長監視部により監視される波長多重信号の信号有りの波長のうち前記光信号変換部の受信波長として未割当の波長を、前記光波長分離部の出力側に接続され且つ前記光信号の受信有りの光信号変換部のうち前記受信波長が未割当の光信号変換部に対する受信波長として割り当てて設定する受信波長設定部とを有することを特徴とする波長多重伝送装置。
【請求項２】
前記複数の光信号変換部の出力側は、クライアント側に接続され、
前記複数の光信号変換部は、前記光波長分離部により分離された各波長の光信号を前記クライアント側の信号に変換して前記クライアント側に出力することを特徴とする請求項１に記載の波長多重伝送装置。
【請求項３】
前記光波長分離部と前記複数の光信号変換部との間に、クロスコネクト部が設けられることを特徴とする請求項１又は２に記載の波長多重伝送装置。
【請求項４】
前記クロスコネクト部の入力側に、前記光波長分離部を含む経路が複数接続されることを特徴とする請求項３に記載の波長多重伝送装置。
【請求項５】
前記クロスコネクト部の出力側に、前記複数の光信号変換部を含む経路が複数接続されることを特徴とする請求項３又は４に記載の波長多重伝送装置。
【請求項６】
入力される各波長の光信号を波長多重して出力する光波長多重部をさらに有し、
前記複数の光信号変換部の出力側は、前記波長多重部の入力側に接続され、
前記複数の光信号変換部は、前記光波長分離部により分離された各波長の光信号を互いに同一又は異なる各波長の光信号に変換して前記波長多重部に出力することを特徴とする請求項１に記載の波長多重伝送装置。
【請求項７】
請求項１から５のいずれか１項に記載の波長多重伝送装置と、
前記波長多重伝送装置に波長多重信号を伝送する第２の波長多重伝送装置とを有することを特徴とする波長多重伝送システム。
【請求項８】
前記第２の波長多重伝送装置は、
クライアント側に接続され、前記クライアント側の信号を複数の波長の光信号に変換する複数の光信号変換部と、
前記複数の光信号変換部から入力される各波長の光信号を波長多重して波長多重信号として出力する光波長多重部とを有することを特徴とする請求項７に記載の波長多重伝送システム。
【請求項９】
複数の波長の光信号が波長多重された波長多重信号をその各波長の光信号に分離し、分離された各波長の光信号を波長毎に出力する光波長分離部と、
前記光波長分離部の出力側に、分離された各波長の光信号の波長に対応する受信波長を割り当てて接続され、当該受信波長の光信号を所定の信号に変換する複数の光信号変換部とを有する波長多重伝送装置の波長設定方法であって、
波長監視部が、前記光波長分離部に入力される波長多重信号の各波長の有無を監視し、
受信波長設定部が、前記光波長分離部に入力される波長多重信号に前記光信号変換部の受信波長として未割当の波長が１つ増加すると共に、前記受信波長が未割当の光信号変換部が１つ増加した状況下において、前記波長監視部により監視される波長多重信号の各波長の信号有無状態と、前記複数の光信号変換部による光信号の受信有無状態とに基づいて、前記波長監視部により監視される波長多重信号の信号有りの波長のうち前記光信号変換部の受信波長として未割当の波長を、前記光波長分離部の出力側に接続され且つ前記光信号の受信有りの光信号変換部のうち前記受信波長が未割当の光信号変換部に対する受信波長として割り当てて設定することを特徴とする波長多重伝送装置の波長設定方法。
【発明の詳細な説明】
【技術分野】
【０００１】
本発明は、波長多重伝送装置、その波長設定方法、および波長多重伝送システムに関し、特に光波長分離部の出力側に波長毎にファイバ接続される光受信変換部の受信波長を設定する波長多重伝送装置、その波長設定方法、および波長多重伝送システムに関する。
【背景技術】
【０００２】
波長多重伝送装置では、光波長多重部の入力側に接続される光信号変換部（「光波長変換部」等とも言う。）の送信側において、光波長多重部の該当波長へのファイバの接続とそれに対応した光信号の送信波長の設定をユーザが行う必要があった。
【０００３】
特に、光信号変換部の送信波長は、光波長多重部の入力側のポートに対応する波長にユーザが手動で設定していた。このため、ユーザが設定した光信号変換部の送信波長が、光波長多重部の入力ポートに設定された波長と異なってしまい、光信号変換部および光波長多重部間で信号が導通せず開通作業に支障をきたすといった問題があった。
【０００４】
これに関連して、特許文献１には、光波長変換部の送信波長の自動設定を可能とするため、上流及び下流の波長多重分割装置間で自身の波長情報をフレーム内に格納したデータを送受信する波長多重分割システムが提案されている。
【０００５】
また、特許文献２には、送信波長が可変設定可能な各送信器（光信号変換部）の送信波長を自動的に設定するため、各送信器の送信側に接続される波長合波器（光波長多重部）の出力側に光フィルタ、光強度検出器、および波長設定器を有し、波長設定器が、未設定波長の設定信号により送信器から当該波長の光信号を波長合波器の入力ポートに入力させ、この波長合波器の出力側で光強度検出器によりその波長の光信号が検出されたときに、当該波長を送信器の送信波長に設定する光送信装置も提案されている。
【先行技術文献】
【特許文献】
【０００６】
【特許文献１】特開２０１０−０４１４４４号公報
【特許文献２】特開２０１０−１５４０６２号公報
【発明の概要】
【発明が解決しようとする課題】
【０００７】
上述した波長多重伝送装置において、光波長分離部の出力側に波長毎にファイバ接続される複数の光信号変換部を含む場合、各光信号変換部の受信波長については、通常、１０Ｇビット／秒以下の伝送レートの信号ではデバイスの特性上でどの波長でも受信可能なものが多く、受信波長の設定は不要であった。
【０００８】
しかし、近年、４０Ｇビット／秒以上の伝送レートでは、デバイスの特性によっては各光信号変換部の受信波長の設定が必要となる場合も生じている。その場合は、光信号変換部の送信波長の場合と同様に、光信号変換部の受信側においても、光波長分離部の該当波長へのファイバ接続とそれに対応した受信波長の設定を、ユーザが行う必要がある。
【０００９】
特に、光信号変換部の受信波長は、光波長分離部と接続されるポートに対応する波長にユーザが手動で設定する必要があるため、この設定は煩雑であると共に、ユーザが設定した光信号変換部の受信波長が、光波長分離部の出力側のポートに設定された波長と異なってしまうと、光波長分離部および光信号変換部間で信号が導通せず開通作業に支障をきたすといった課題がある。
【００１０】
特許文献１、２は、いずれも光波長多重部の入力側に接続される光受信変換部の送信波長を自動設定するものであり、光波長分離部の出力側に接続される光受信変換部の受信波長を設定するものではない。また、特許文献１は、フレーム内の信号を認識しないと波長が分からないため、調整が必要な４０Ｇビット／秒などの伝送レートの信号には適用できない。
【００１１】
本発明の目的は、上記課題を解決し、光信号変換部の受信波長の設定に際し、ユーザの煩雑な設定を不要とし、信号の開通作業に支障をきたす事態を軽減することができる波長多重伝送装置、その波長自動設定方法、および波長多重伝送システムを提供することにある。
【課題を解決するための手段】
【００１２】
本発明の第１の観点によれば、複数の波長の光信号が波長多重された波長多重信号をその各波長の光信号に分離し、分離された各波長の光信号を波長毎に出力する光波長分離部と、前記光波長分離部の出力側に、分離された各波長の光信号の波長に対応する受信波長を割り当てて接続され、当該受信波長の光信号を所定の信号に変換する複数の光信号変換部と、前記光波長分離部に入力される波長多重信号の各波長の有無を監視する波長監視部と、前記光波長分離部に入力される波長多重信号に前記光信号変換部の受信波長として未割当の波長が１つ増加すると共に、前記受信波長が未割当の光信号変換部が１つ増加した状況下において、前記波長監視部により監視される波長多重信号の各波長の信号有無状態と、前記複数の光信号変換部による光信号の受信有無状態とに基づいて、前記波長監視部により監視される波長多重信号の信号有りの波長のうち前記光信号変換部の受信波長として未割当の波長を、前記光波長分離部の出力側に接続され且つ前記光信号の受信有りの光信号変換部のうち前記受信波長が未割当の光信号変換部に対する受信波長として割り当てて設定する受信波長設定部とを有することを特徴とする波長多重伝送装置が提供される。
【００１３】
本発明の第２の観点によれば、複数の波長の光信号が波長多重された波長多重信号をその各波長の光信号に分離し、分離された各波長の光信号を波長毎に出力する光波長分離部と、前記光波長分離部の出力側に、分離された各波長の光信号の波長に対応する受信波長を割り当てて接続され、当該受信波長の光信号を所定の信号に変換する複数の光信号変換部とを有する波長多重伝送装置の波長設定方法であって、波長監視部が、前記光波長分離部に入力される波長多重信号の各波長の有無を監視し、受信波長設定部が、前記光波長分離部に入力される波長多重信号に前記光信号変換部の受信波長として未割当の波長が１つ増加すると共に、前記受信波長が未割当の光信号変換部が１つ増加した状況下において、前記波長監視部により監視される波長多重信号の各波長の信号有無状態と、前記複数の光信号変換部による光信号の受信有無状態とに基づいて、前記波長監視部により監視される波長多重信号の信号有りの波長のうち前記光信号変換部の受信波長として未割当の波長を、前記光波長分離部の出力側に接続され且つ前記光信号の受信有りの光信号変換部のうち前記受信波長が未割当の光信号変換部に対する受信波長として割り当てて設定することを特徴とする波長多重伝送装置の波長設定方法が提供される。
【００１４】
本発明の第３の観点によれば、上記の波長多重伝送装置と、前記波長多重伝送装置に波長多重信号を伝送する第２の波長多重伝送装置とを有することを特徴とする波長多重伝送システムが提供される。
【発明の効果】
【００１５】
本発明によれば、光信号変換部の受信波長の設定に際し、ユーザの煩雑な設定を不要とし、信号の開通作業に支障をきたす事態を軽減することができる。
【図面の簡単な説明】
【００１６】
【図１】本発明の第１の実施の形態に係る波長多重伝送システムの構成を示すブロック図である。
【図２】（ａ）〜（ｄ）は、図１に示す光信号変換部の送信波長を設定する場合の状態１〜４の各動作を説明する図である。
【図３】（ａ）〜（ｃ）は、図１に示す光信号変換部の受信波長を設定する場合の状態１〜３の各動作を説明する図である。
【図４】本発明の第２の実施の形態に係る波長多重伝送装置の構成を示すブロック図である。
【図５】本発明の第３の実施の形態に係る波長多重伝送システムの構成を示すブロック図である。
【図６】本発明の第４の実施の形態に係る波長多重伝送システムの構成を示すブロック図である。
【発明を実施するための形態】
【００１７】
以下、本発明に係る波長多重伝送装置、その波長設定方法、および波長多重伝送システムの実施の形態について、図面を参照して詳細に説明する。
【００１８】
（第１の実施の形態）
図１を参照すると、本発明の第１の実施の形態に係る波長多重伝送システムが示されている。この波長多重伝送システムは、クライアント側への入出力を担う２つの波長多重伝送装置１Ａ１、２Ａ２を含む。このうち、波長多重伝送装置２Ａ２が本発明に係る波長多重伝送装置に対応する。
【００１９】
波長多重伝送装置１Ａ１は、クライアント側の信号を複数の波長の光信号に変換し、変換した各波長の光信号を波長多重して波長多重信号（以下、「ＷＤＭ（Wavelength Division Multiplexing）信号」と呼ぶ。）とし、そのＷＤＭ信号を、ＷＤＭ区間を成す経路１Ｂ５を介して、波長多重伝送装置２Ａ２に伝送するもので、複数の光信号変換部Ｂ１、光波長多重部Ｂ２、光波長増幅部Ｂ３、波長監視部Ｂ４、および送信波長設定部Ｅ１１を含む。
【００２０】
各光信号変換部Ｂ１は、クライアント側の信号をそれぞれ個別に割り当てられた波長（図１の例では波長λａ、λｂ、…）（送信波長）の光信号に変換し、変換された各波長の光信号を個別に光波長多重部Ｂ２に出力する。
【００２１】
光波長多重部Ｂ２は、各光信号変換部Ｂ１にそれぞれファイバ接続される複数の入力ポートと、光波長増幅部Ｂ３にファイバ接続される出力ポートとを含み、各入力ポートを介して各光信号変換部Ｂ１から出力された各波長の光信号を入力すると、入力された各波長の光信号を波長多重してＷＤＭ信号とし、そのＷＤＭ信号を、出力ポートを介して光波長増幅部Ｂ３に出力する。
【００２２】
この光波長多重部Ｂ２は、各入力ポートに入力される各波長の光信号に対して波長選択性の機能を持つデバイス、例えばＡＷＧ（Array Waveguide Gratings：アレイ導波路回折格子）やＷＳＳ（Wavelength Selectable Switch：波長選択スイッチ）などを用いて構成される。そのため、光波長多重部Ｂ２の入力ポートに期待と異なる波長の光信号が入力された場合に、その波長の光信号はブロックされ、光波長多重部Ｂ２の出力ポートには出力されない。
【００２３】
光波長増幅部Ｂ３は、波長多重されたＷＤＭ信号を光増幅し、ＷＤＭ区間を成す経路１Ｂ５に出力する。これにより、波長多重伝送装置１Ａ１からのＷＤＭ信号は、経路１Ｂ５を介して波長多重伝送装置２Ａ２へ伝送される。
【００２４】
波長監視部Ｂ４は、伝送されるＷＤＭ信号の各波長の有無を監視し、その監視結果である各波長の有無信号を送信波長設定部Ｅ１１に出力する。
【００２５】
送信波長設定部Ｅ１１は、後述する状態テーブル（図２（ａ）〜（ｄ）参照）を用いて、光信号変換部Ｂ１の送信波長の割当状態、ＷＤＭ信号の波長、波長監視部Ｂ４における各波長の信号有無、光信号変換部Ｂ１の波長が自動設定されたかどうかの状態を管理し、この状態テーブルに基づいて各光波長変換部Ｂ１の送信波長の光信号を発光したタイミングと、波長監視部Ｂ４にてＷＤＭ信号の各波長の有無を検出したタイミングとを監視することにより、各光信号変換部Ｂ１の送信波長を設定する。
【００２６】
波長多重伝送装置２Ａ２は、ＷＤＭ信号を各波長の光信号に分離し、分離した各波長の光信号をクライアント側の信号に変換してクライアント側に出力するもので、光波長増幅部Ｂ６、波長監視部Ｂ７、光波長分離部Ｂ８、複数の光信号変換部Ｂ９、および受信波長設定部Ｅ１２を含む。
【００２７】
光波長増幅部Ｂ６は、波長多重伝送装置１Ａ１から伝送されるＷＤＭ信号を光増幅し、光波長分離部Ｂ８に出力する。
【００２８】
波長監視部Ｂ７は、光波長増幅部Ｂ６から光波長分離部Ｂ８へ出力されるＷＤＭ信号の各波長の有無を監視し、その監視結果である各波長の有無信号を受信波長設定部Ｅ１２に出力する。
【００２９】
光波長分離部Ｂ８は、光波長増幅部Ｂ６にファイバ接続される入力ポートと、各光信号変換部Ｂ９にそれぞれファイバ接続される複数の出力ポートとを含み、入力ポートを介して光波長増幅部Ｂ６からのＷＤＭ信号を入力すると、入力されたＷＤＭ信号を各波長の信号に分離し、分離されたそれぞれの波長の光信号を、出力ポートを介して各光信号変換部Ｂ９に渡す。
【００３０】
各光信号変換部Ｂ９は、光波長分離部Ｂ８からの各波長の光信号をクライアント側の信号に変換し、変換された信号をクライアント側に出力する。
【００３１】
受信波長設定部Ｅ１２は、後述する状態テーブル（図３（ａ）〜（ｃ）参照）を用いて、波長多重伝送装置２Ａ２（上流装置）から来るＷＤＭ信号の波長、波長監視部Ｂ７における各波長の信号有無、光信号変換部Ｂ９の受信波長の割当状態、各光信号変換部Ｂ９における受信信号の有無、光信号変換部Ｂ９の波長が自動設定されたかどうかの状態を管理し、光波長変換部Ｂ９の受信波長において受光したタイミングと波長監視部にて波長信号を検出したタイミングとを監視することにより、各光信号変換部Ｂ９の受信波長を設定する。
【００３２】
次に、各光信号変換部Ｂ１の送信波長を決定する場合の動作について説明する。
【００３３】
図２（ａ）〜（ｄ）は、光信号変換部Ｂ１の送信波長を自動設定する場合の送信波長設定部Ｅ１１の状態テーブルの各状態１〜４を示す。
【００３４】
図２（ａ）〜（ｄ）に示す状態テーブルの各状態１〜４において、「光信号変換部送信波長」は光信号変換部Ｂ１の送信波長の割当状態、「信号波長」はＷＤＭ信号の波長、「波長監視部信号有無」は波長監視部Ｂ４における各波長の信号有無、「送信波長自動設定」は光信号変換部Ｂ１の波長が自動設定されたかどうかの状態を表している。
【００３５】
図２（ａ）の状態１は、光信号変換部Ｂ１（図の例では「Ｐ」）、光信号変換部Ｂ１（図の例では「Ｑ」）が、送信波長設定部Ｅ１１の過去の自動設定によりそれぞれ波長λａ、λｂが割当済みであることを示している。波長λｃ、λｄは、未使用であり、どの光信号変換部Ｂ１とも割当がされていないことを示している。
【００３６】
ここで、送信波長設定部Ｅ１１により、波長がまだ割り当てられていない光信号変換部Ｂ１（図の例では「Ｒ」）を増設し、光波長多重部Ｂ２の波長λｄに該当するポートに接続した場合を考える。
【００３７】
このとき、図２（ｂ）の状態２において、光信号変換部Ｂ１（Ｒ）の送信波長を未割当のものから順次割り当てていく。図の例では、波長λａ、λｂは割当済みなので波長λｃを仮で割り当て、その波長で発光させる。
【００３８】
実際に接続されているのは波長λｄであり、発光している波長λｃと異なっているので、光波長多重部Ｂ２は、波長選択性の機能を持つので、光波長多重部Ｂ２から波長λｃは出力されず、波長監視部Ｂ４では波長λｃの信号は観測されないため、送信波長として波長λｃは不適切であると判断し、次の波長λｄに移る。
【００３９】
図２（ｃ）の状態３は、光信号変換部Ｂ１（Ｒ）を波長λｄとしたときの状態を示している。このときは、光信号変換部Ｂ１（Ｒ）を波長λｄで発光させたタイミングで波長監視部Ｂ４において波長λｄの信号が検出できる。このため、光信号変換部Ｂ１（Ｒ）と光波長多重部Ｂ２の接続に対応した波長であると判断できる。よって、送信波長設定部Ｅ１１は、図２（ｄ）の状態４に示すように、光信号変換部Ｂ１（Ｒ）での波長をλｄとして確定し、波長割当済みとする。
【００４０】
上記は、光信号変換部Ｂ１（Ｒ）が波長λｄと接続されている場合の一例であるが、他の波長の場合は未割当の波長に順次変更していき、波長監視部Ｂ４での信号が有りとなるまで繰り返して波長を確定させていく。
【００４１】
上記の動作により、光信号変換部Ｂ１の送信波長について、光信号変換部Ｂ１から、ある波長で出力された信号は、光波長多重部Ｂ２にて波長選択され、さらに波長監視部Ｂ４にて信号有無を監視することによって光波長多重部Ｂ２に接続されているポートを判別することができる。これにより、光波長変換部Ｂ１の送信波長を決定することができる。
【００４２】
次に、各光信号変換部Ｂ９の受信波長を決定する場合の動作について説明する。
【００４３】
図３（ａ）〜（ｃ）は、各光信号変換部Ｂ９の受信波長を自動設定する場合の受信波長設定部Ｅ１２の状態テーブルの各状態１〜３を示す。
【００４４】
図３（ａ）〜（ｃ）に示す状態テーブルの各状態１〜３において、「信号波長」は上流の装置から来るＷＤＭ信号の波長、「波長監視部信号有無」は波長監視部Ｂ７における各波長の信号有無、「光信号変換部受信波長」は各光信号変換部Ｂ９の受信波長の割当状態、「光信号変換部受信信号有無」は光信号変換部Ｂ９における受信信号の有無、「受信波長自動設定」は各光信号変換部Ｂ９の波長が自動設定されたかどうかの状態を表している。
【００４５】
図３（ａ）の状態１は、光信号変換部Ｂ９（図の例では「Ｐ」）、光信号変換部Ｂ９（図の例では「Ｑ」）は、受信波長設定部Ｅ１２の過去の自動設定によりそれぞれ波長λａ、λｂが割当済みであることを示している。波長λｃ、λｄは、未使用であり、どの光信号変換部Ｂ９とも割当がされていないことを示している。
【００４６】
ここで、受信波長設定部Ｅ１２により、波長がまだ割り当てられていない光信号変換部Ｂ９（図の例では「Ｒ」）を増設し、光波長分離部Ｂ８の波長λｄに該当するポートに接続した場合を考える。
【００４７】
この状態から上流装置である波長多重伝送装置１Ａ１から新たに波長λｄが来た場合を考える。このとき、図３（ｂ）の状態２に示すように、波長監視部Ｂ７にて波長λｄが信号無しから信号有りに変化する。また、このとき、光信号変換部Ｂ９（Ｒ）の受信信号も無しから有りに変化する。
【００４８】
この両者の信号無しから有りの変化により、上流装置からの波長λｄの信号が光信号変換部Ｂ９（Ｒ）へ適切に入力されたことが分かるので、受信波長設定部Ｅ１２は、図３（ｃ）の状態３に示すように、光信号変換部Ｂ９（Ｒ）での受信波長を波長λｄで確定させる。
【００４９】
上記の動作により、ＷＤＭ区間Ｂ５を伝送してきた波長多重信号は、波長監視部Ｂ７にて各波長ごとに信号有無を監視する。光波長分離部Ｂ８にて波長選択された信号は、光信号変換部Ｂ９に入力される。
【００５０】
波長増設時において、波長監視部Ｂ７にてある波長が信号無しから有りに変化し、かつ光信号変換部Ｂ９にて信号無しから有りに変化した場合、光波長分離部Ｂ８に接続されているポートは光信号変換部Ｂ９に接続されていることが分かる。これにより、光信号変換部Ｂ９の受信波長を決定することができる。
【００５１】
以上の動作により、波長多重伝送装置において波長設定を自動化したため、光信号変換部Ｂ１の送信波長および光信号変換部Ｂ９の受信波長が自動で決定される。すなわち、本実施の形態では、波長多重された信号の波長監視を行うことで、光波長多重部Ｂ２および光波長分離部Ｂ８に接続された光信号変換部Ｂ１、Ｂ９を認識できるので、光信号変換部Ｂ１、Ｂ９に設定されるべき波長を自動で認識できる。
【００５２】
従って、本実施の形態においては、光波長変換部Ｂ１の送信波長において発光したタイミングと波長監視部Ｂ４にて波長信号を検出したタイミングとを監視することで、光波長変換部Ｂ１の送信波長を自動で決定できると共に、光波長変換部Ｂ９の受信波長において受光したタイミングと波長監視部Ｂ７にて波長信号を検出したタイミングとを監視することで、光波長変換部Ｂ９の受信波長を自動で決定できる。
【００５３】
これにより、光波長多重部Ｂ２および光波長分離部Ｂ８に該当波長へファイバ接続を行うことで、自動で光信号変換部Ｂ１、Ｂ９の送信波長および受信波長が設定できるので、ユーザから煩雑な設定が不要となり、信号の開通作業に支障をきたす事態を軽減することができる。
【００５４】
なお、上記実施の形態では、光信号変換部は、説明上片方向の伝送としているが、本発明はこれに限定されず、１つのブロックにて双方向伝送するものであってもよい。
【００５５】
また、光信号変換部は、クライアント側への入出力を担わず、ＷＤＭ信号の入力を別の波長または同一の波長のＷＤＭ信号を出力する再生中継機能を持った光信号変換部としてもよい。
【００５６】
また、波長監視部Ｂ４は、光波長増幅部Ｂ３、光波長増幅部Ｂ６の出力部に置いているが、ＷＤＭ信号を監視できる位置であれば、他の場所でもよい。例えば、光波長多重部Ｂ２と光波長増幅部Ｂ３の間の位置に配置してもよく、光波長増幅部Ｂ３の内部に含まれてもよい。
【００５７】
また、光増幅部は、波長多重伝送装置で一般的に使用されるものであるので記載しているが、無い構成でも本発明は実施可能である。
【００５８】
また、光信号変換部における波長決定は、送信側および受信側は独立した動作となるため、受信側のみ実施してもよい。
【００５９】
また、送信波長設定部Ｅ１１は、単独で構成しても、他の各部、例えば波長監視部Ｂ４、光信号変換部Ｂ１、波長多重伝送装置１Ａ１内の図示しない制御部等に含まれるように構成しても、いずれでもよい。
【００６０】
同様に、受信波長設定部Ｅ１２も、単独で構成しても、他の各部、例えば波長監視部Ｂ７、光信号変換部Ｂ９、波長多重伝送装置２Ａ２内の図示しない制御部等に含まれるように構成しても、いずれでもよい。
【００６１】
（第２の実施の形態）
次に、本発明の第２の実施の形態について、図４を参照して説明する。
【００６２】
図４に示す本実施の形態に係る波長多重伝送装置Ａ２１は、図１に示す波長多重伝送装置１Ａ１、２Ａ２のようにクライアント側への入出力を行わず、ＷＤＭ信号を中継するものである。
【００６３】
この波長多重伝送装置Ａ２１は、図１の光波長増幅部Ｂ６、波長監視部Ｂ７、光波長分離部Ｂ８、および受信波長設定部と同様の光波長増幅部Ｂ２２、波長監視部Ｂ２３、光波長分離部Ｂ２４、および受信波長設定部Ｅ２２と、図１の光波長多重部Ｂ２、光波長増幅部Ｂ３、波長監視部Ｂ４、送信波長設定部Ｅ１１と同様の光波長多重部Ｂ２６、光波長増幅部Ｂ２７、波長監視部Ｂ２８、および送信波長設定部Ｅ２２とを含み、光波長分離部Ｂ２４と光波長多重部Ｂ２６との間に光信号変換部Ｂ２５が設けられている。
【００６４】
光信号変換部Ｂ２５は、図１の光信号変換部Ｂ１、Ｂ９のようにクライアント側への入出力を担わず、ＷＤＭ区間を成す経路１Ｂ２１から入力されるＷＤＭ信号を、別の波長または同一の波長のＷＤＭ信号に変換し（図４の例では波長λｃ、λｄ、…のＷＤＭ信号から波長λａ、λｂ、…のＷＤＭ信号に変換し）、変換したＷＤＭ信号を、ＷＤＭ区間を成す経路２Ｂ２９に出力する再生中継機能を持つ。
【００６５】
この場合、光信号変換部Ｂ２５の受信側は、受信波長設定部Ｅ２２により図１の送信波長設定部Ｅ１２と同様の波長設定方法を用いて受信波長が設定され、光信号変換部Ｂ２５の送信側は、送信波長設定部Ｅ２２により図１の送信波長設定部Ｅ１１と同様の波長設定方法を用いて送信波長が設定される。
【００６６】
本実施の形態でも、第１の実施の形態と同様に、光波長変換部Ｂ２５の送信波長において発光したタイミングと波長監視部Ｂ２３にて波長信号を検出したタイミングとを監視することで、光波長変換部Ｂ２５の送信波長を自動で決定できると共に、光波長変換部Ｂ２５の受信波長において受光したタイミングと波長監視部Ｂ２８にて波長信号を検出したタイミングとを監視することで、光波長変換部Ｂ２５の受信波長を自動で決定できる。これにより、光波長多重部Ｂ２６および光波長分離部Ｂ２４に該当波長へファイバ接続を行うことで、光信号変換部Ｂ２５の送信波長および受信波長が設定できるので、ユーザから煩雑な設定が不要となり、信号の開通作業に支障をきたす事態を軽減することができる。
【００６７】
なお、送信波長設定部Ｅ１１と送信波長設定部Ｅ１２とは、それぞれ単独で構成しても、１つの波長設定部として構成しても、あるいは他の各部、例えば波長監視部Ｂ２３、Ｂ２８、光信号変換部Ｂ２５、波長多重伝送装置Ａ２１内の図示しない制御部等に含まれるように構成しても、いずれでもよい。
【００６８】
（第３の実施の形態）
次に、本発明の第３の実施の形態について、図５を参照して説明する。
【００６９】
図５に示す本実施の形態に係る波長多重伝送システムは、図１に示す波長多重伝送装置１Ａ１、２Ａ２と同様にクライアント側への入出力を担うものであり、２つの波長多重伝送装置１Ａ３１、２Ａ３２を含む。このうち、波長多重伝送装置２Ａ３２が本発明に係る波長多重伝送装置に対応する。
【００７０】
波長多重伝送装置１Ａ３１は、図１の複数の光信号変換部Ｂ１、光波長多重部Ｂ２、光波長増幅部Ｂ３、波長監視部Ｂ４、送信波長設定部Ｅ１１と同様の複数の光信号変換部Ｂ３１、光波長多重部Ｂ３３、光波長増幅部Ｂ３４、波長監視部Ｂ３５、および送信波長設定部Ｅ３１とを含み、各光波長変換部Ｂ３１と光波長多重部Ｂ３２の間に、クロスコネクト部Ｂ３２が設けられている。
【００７１】
クロスコネクト部Ｂ３２の出力側には、光波長多重部Ｂ３３、光波長増幅部Ｂ３４、波長監視部Ｂ３５の経路とは別の複数の経路（図中の例では、光波長多重部Ｃ３３、光波長増幅部Ｃ３４、波長監視部Ｃ３５の経路等）も接続されている。光波長増幅部Ｂ３４、Ｃ３４の出力側は、それぞれＷＤＭ区間を成す経路１Ｂ３６、経路２Ｃ３６に接続されている。
【００７２】
波長多重伝送装置１Ａ３２は、図１の光波長増幅部Ｂ６、波長監視部Ｂ７、光波長分離部Ｂ８、複数の光信号変換部Ｂ９、および受信波長設定部Ｅ１２と同様の光波長増幅部Ｂ３７、波長監視部Ｂ３８、光波長分離部Ｂ３９、複数の光信号変換部Ｂ４１、および受信波長設定部Ｅ３２を含み、光波長分離部Ｂ３９と複数の光信号変換部Ｂ４１との間に、クロスコネクト部Ｂ４０が設けられている。
【００７３】
クロスコネクト部Ｂ４０の入力側には、経路１Ｂ３６側の光波長増幅部Ｂ３７、波長監視部Ｂ３８、光波長分離部Ｂ３９とは別に、経路２Ｃ３６側の光波長増幅部Ｃ３７、波長監視部Ｃ３８、光波長分離部Ｃ３９等の複数の経路が接続されている。
【００７４】
この場合、光信号変換部Ｂ３１は、送信波長設定部Ｅ３１により図１の送信波長設定部Ｅ１１と同様の波長設定方法を用いて送信波長が設定される。また、光信号変換部Ｂ４１は、受信波長設定部Ｅ３２により図１の送信波長設定部Ｅ１２と同様の波長設定方法を用いて受信波長が設定される。
【００７５】
本実施の形態でも、第１の実施の形態と同様に、光波長変換部Ｂ３１の送信波長において発光したタイミングと波長監視部Ｂ３５、Ｃ３５にて波長信号を検出したタイミングとを監視することで、光波長変換部Ｂ３１の送信波長を自動で決定できると共に、光波長変換部Ｂ４１の受信波長において受光したタイミングと波長監視部Ｂ３８にて波長信号を検出したタイミングとを監視することで、光波長変換部Ｂ４１の受信波長を自動で決定できる。これにより、光波長多重部Ｂ３３、Ｃ３３および光波長分離部Ｂ３９、Ｃ３９に該当波長へファイバ接続を行うことで、光信号変換部Ｂ３１の送信波長および光信号変換部Ｂ４１の受信波長が設定できるので、ユーザから煩雑な設定が不要となり、信号の開通作業に支障をきたす事態を軽減することができる。
【００７６】
なお、送信波長設定部Ｅ３１は、単独で構成しても、他の各部、例えば波長監視部Ｂ３５、Ｃ３５、光信号変換部Ｂ３１、波長多重伝送装置１Ａ３１内の図示しない制御部等に含まれるように構成しても、いずれでもよい。
【００７７】
同様に、受信波長設定部Ｅ３２も、単独で構成しても、他の各部、例えば波長監視部Ｂ３８、Ｃ３８、光信号変換部Ｂ４１、波長多重伝送装置２Ａ３２内の図示しない制御部等に含まれるように構成しても、いずれでもよい。
【００７８】
（第４の実施の形態）
次に、本発明の第４の実施の形態について、図６を参照して説明する。
【００７９】
図６に示す本実施の形態に係る波長多重伝送システムは、図１に示す波長多重伝送装置１Ａ１、２Ａ２と同様にクライアント側への入出力を担うものであり、２つの波長多重伝送装置１Ａ５１、２Ａ５２を含む。このうち、波長多重伝送装置２Ａ５２が本発明に係る波長多重伝送装置に対応する。
【００８０】
波長多重伝送装置１Ａ５１は、図１の複数の光信号変換部Ｂ１、光波長多重部Ｂ２、光波長増幅部Ｂ３、波長監視部Ｂ４、送信波長設定部Ｅ１１と同様の複数の光信号変換部Ｂ５１、光波長多重部Ｂ５２、光波長増幅部Ｂ５４、波長監視部Ｂ５５、および送信波長設定部Ｅ５１とを含み、光波長多重部Ｂ５２と光波長増幅部Ｂ５４の間に、クロスコネクト部Ｂ３２が設けられている。
【００８１】
クロスコネクト部Ｂ３２の入力側には、複数の光信号変換部Ｂ５１、光波長多重部Ｂ５２は別の複数の経路（図中の例では、複数の光信号変換部Ｃ５１、光波長多重部Ｂ５５の経路等）が接続されている。
【００８２】
クロスコネクト部Ｂ３２の出力側には、光波長増幅部Ｂ５４、波長監視部Ｂ５５の経路とは別の複数の経路（図中の例では、光波長増幅部Ｃ５４、波長監視部Ｃ５５の経路等）も接続されている。光波長増幅部Ｂ５４、Ｃ５４の出力側は、それぞれＷＤＭ区間を成す経路１Ｂ５６、経路２Ｃ５６に接続されている。
【００８３】
波長多重伝送装置１Ａ５２は、図１の光波長増幅部Ｂ６、波長監視部Ｂ７、光波長分離部Ｂ８、複数の光信号変換部Ｂ９、および受信波長設定部Ｅ１２と同様の光波長増幅部Ｂ５７、波長監視部Ｂ５８、光波長分離部Ｂ５９、複数の光信号変換部Ｂ６１、および受信波長設定部Ｅ５２を含み、光波長分離部Ｂ５９と複数の光信号変換部Ｂ５１との間に、クロスコネクト部Ｂ６０が設けられている。
【００８４】
クロスコネクト部Ｂ６０の入力側には、経路１Ｂ５６側の光波長増幅部Ｂ５７、波長監視部Ｂ５８、光波長分離部Ｂ５９とは別に、経路２Ｃ５６側の光波長増幅部Ｃ５７、波長監視部Ｃ５８、光波長分離部Ｃ５９等の複数の経路が接続されている。
【００８５】
クロスコネクト部Ｂ６０の出力側には、複数の光信号変換部Ｂ６１の経路とは別に、複数の光信号変換部Ｃ６１が接続されている。
【００８６】
この場合、光信号変換部Ｂ５１、Ｃ５１は、送信波長設定部Ｅ５１により図１の送信波長設定部Ｅ１１と同様の波長設定方法を用いて送信波長が設定される。また、光信号変換部Ｂ６１、Ｃ６１は、受信波長設定部Ｅ５２により図１の送信波長設定部Ｅ１２と同様の波長設定方法を用いて受信波長が設定される。
【００８７】
本実施の形態でも、第１の実施の形態と同様に、光波長変換部Ｂ５１、Ｃ５１の送信波長において発光したタイミングと波長監視部Ｂ５５、Ｃ５５にて波長信号を検出したタイミングとを監視することで、光波長変換部Ｂ５１、Ｃ５１の送信波長を自動で決定できると共に、光波長変換部Ｂ６１、Ｃ６１の受信波長において受光したタイミングと波長監視部Ｂ５８、Ｃ５８にて波長信号を検出したタイミングとを監視することで、光波長変換部Ｂ６１、Ｃ６１の受信波長を自動で決定できる。
【００８８】
これにより、光波長多重部Ｂ５２、Ｃ５２および光波長分離部Ｂ５９、Ｃ５９に該当波長へファイバ接続を行うことで、光信号変換部Ｂ５１、Ｃ５１の送信波長および光信号変換部Ｂ６１、Ｃ６１の受信波長が設定できるので、ユーザから煩雑な設定が不要となり、信号の開通作業に支障をきたす事態を軽減することができる。
【００８９】
なお、送信波長設定部Ｅ５１は、単独で構成しても、他の各部、例えば波長監視部Ｂ５５、Ｃ５５、光信号変換部Ｂ５１、Ｃ５１、波長多重伝送装置１Ａ５１内の図示しない制御部等に含まれるように構成しても、いずれでもよい。
【００９０】
同様に、受信波長設定部Ｅ５２も、単独で構成しても、他の各部、例えば波長監視部Ｂ５８、Ｃ５８、光信号変換部Ｂ６１、Ｃ６１、波長多重伝送装置２Ａ５２内の図示しない制御部等に含まれるように構成しても、いずれでもよい。
【００９１】
上記の実施の形態及び実施例の一部又は全部は、以下の付記のようにも記載されうるが、以下には限定されない。
【００９２】
（付記１）複数の波長の光信号が波長多重された波長多重信号をその各波長の光信号に分離し、分離された各波長の光信号を波長毎に出力する光波長分離部と、前記光波長分離部の出力側に、分離された各波長の光信号の波長に対応する受信波長を割り当てて接続され、当該受信波長の光信号を所定の信号に変換する複数の光信号変換部と、前記光波長分離部に入力される波長多重信号の各波長の有無を監視する波長監視部と、前記波長監視部により監視される波長多重信号の各波長の信号有無状態と、前記複数の光信号変換部による光信号の受信有無状態とに基づいて、前記波長監視部により監視される波長多重信号の信号有りの波長のうち前記光信号変換部の受信波長として未割当の波長を、前記光波長分離部の出力側に接続され且つ前記光信号の受信有りの光信号変換部のうち前記受信波長が未割当の光信号変換部に対する受信波長として割り当てて設定する受信波長設定部とを有することを特徴とする波長多重伝送装置。
【００９３】
（付記２）前記複数の光信号変換部の出力側は、クライアント側に接続され、前記複数の光信号変換部は、前記光波長分離部により分離された各波長の光信号を前記クライアント側の信号に変換して前記クライアント側に出力することを特徴とする付記１に記載の波長多重伝送装置。
【００９４】
（付記３）前記光波長分離部と前記複数の光信号変換部との間に、クロスコネクト部が設けられることを特徴とする付記１又は２に記載の波長多重伝送装置。
【００９５】
（付記４）前記クロスコネクト部の入力側に、前記光波長分離部を含む経路が複数接続されることを特徴とする付記３に記載の波長多重伝送装置。
【００９６】
（付記５）前記クロスコネクト部の出力側に、前記複数の光信号変換部を含む経路が複数接続されることを特徴とする付記３又は４に記載の波長多重伝送装置。
【００９７】
（付記６）入力される各波長の光信号を波長多重して出力する光波長多重部をさらに有し、前記複数の光信号変換部の出力側は、前記波長多重部の入力側に接続され、前記複数の光信号変換部は、前記光波長分離部により分離された各波長の光信号を互いに同一又は異なる各波長の光信号に変換して前記波長多重部に出力することを特徴とする付記１に記載の波長多重伝送装置。
【００９８】
（付記７）付記１から５のいずれか１に記載の波長多重伝送装置と、前記波長多重伝送装置に波長多重信号を伝送する第２の波長多重伝送装置とを有することを特徴とする波長多重伝送システム。
【００９９】
（付記８）前記第２の波長多重伝送装置は、クライアント側に接続され、前記クライアント側の信号を複数の波長の光信号に変換する複数の光信号変換部と、前記複数の光信号変換部から入力される各波長の光信号を波長多重して波長多重信号として出力する光波長多重部とを有することを特徴とする付記７に記載の波長多重伝送システム。
【０１００】
（付記９）複数の波長の光信号が波長多重された波長多重信号をその各波長の光信号に分離し、分離された各波長の光信号を波長毎に出力する光波長分離部と、前記光波長分離部の出力側に、分離された各波長の光信号の波長に対応する受信波長を割り当てて接続され、当該受信波長の光信号を所定の信号に変換する複数の光信号変換部とを有する波長多重伝送装置の波長設定方法であって、波長監視部が、前記光波長分離部に入力される波長多重信号の各波長の有無を監視し、受信波長設定部が、前記波長監視部により監視される波長多重信号の各波長の信号有無状態と、前記複数の光信号変換部による光信号の受信有無状態とに基づいて、前記波長監視部により監視される波長多重信号の信号有りの波長のうち前記光信号変換部の受信波長として未割当の波長を、前記光波長分離部の出力側に接続され且つ前記光信号の受信有りの光信号変換部のうち前記受信波長が未割当の光信号変換部に対する受信波長として割り当てて設定することを特徴とする波長多重伝送装置の波長設定方法。
【０１０１】
以上、各実施の形態を参照して本願発明を説明したが、本願発明は上記各実施の形態に限定されるものではない。本願発明の構成や詳細には、本願発明のスコープ内で当業者が理解し得る様々な変更をすることができる。
【産業上の利用可能性】
【０１０２】
以上説明したように、本発明は、波長多重伝送装置、その波長設定方法、および波長多重伝送システムの用途に利用可能である。特に、本発明は、光波長分離部の出力側に波長毎にファイバ接続される光受信変換部の受信波長を設定する波長多重伝送装置、その波長設定方法、および波長多重伝送システムの用途に利用可能である。
【符号の説明】
【０１０３】
Ａ１  波長多重伝送装置１
Ａ２  波長多重伝送装置２
Ｂ１  光信号変換部
Ｂ２  光波長多重部
Ｂ３  光波長増進部
Ｂ４  波長監視部
Ｂ５  経路１（ＷＤＭ区間）
Ｂ６  光波長増幅部
Ｂ７  波長監視部
Ｂ８  光波長分離部
Ｂ９  光信号変換部
Ｅ１１  送信波長設定部
Ｅ１２  受信波長設定部
【図１】
0005757133.tif 000002
【図２】
0005757133.tif 000003
【図３】
0005757133.tif 000004
【図４】
0005757133.tif 000005
【図５】
0005757133.tif 000006
【図６】
0005757133.tif 000007